(57)【要約】【課題】鉄骨構造物の外壁における仕舞い処理を短時間の高所作業で行う。【解決手段】鉄骨構造物の外側に平板や成形された鋼板を展設して外壁を形成する際、主柱に取り付けた胴縁材に平板を取り付けて外壁の一部を形成する柱ー壁ブロックを、所定の空隙を設けて複数配置し、予め製造された仕舞い板を前記柱ー壁ブロックの一方の端部に取り付け、前記仕舞い板により前記所定の空隙を閉じて仕舞い部とする。【選択図】図１
2006070525.tif 000002
【特許請求の範囲】
【請求項１】
板材部材の接続部の仕舞い処理方法であって、板材部材を所定の隙間が生じるように配置し、前記隙間を介して隣接する二つの板材部材のうちの一方の板材部材の端部に、前記隙間を塞ぐための、仕舞い部用板材を回転可動に設け、該仕舞い部用板材を回動させて他方の板材部材の端部に固定することにより、前記隙間を塞ぐことを特徴とする板材部材の接続部の仕舞い処理方法。
【請求項２】
鉄骨構造物の外側に平板を展設して外壁を形成する方法であって、鉄骨構造物の各主柱に胴縁材を取り付けるとともに、該胴縁材に平板または成形された板材を取り付けて壁体を構成することにより、主柱と壁体とからなる柱ー壁ブロックを、隣接する柱ー壁ブロックの壁体端部間に所定の隙間が生じるようにして形成し、前記隙間を介して隣接する二つの壁体のうちの一方の壁体の端部に、前記隙間を塞ぐための、仕舞い部用壁体を回転可動に設け、該仕舞い部用壁体を回動させて他方の壁体の端部に固定することにより、前記隙間を塞いで外壁を形成することを特徴とする鉄骨構造物の外壁形成方法。
【請求項３】
請求項２記載の鉄骨構造物の外壁形成方法において、隣接する柱ー壁ブロックの壁体端部間に所定の隙間が生じるようにして柱ー壁ブロックを形成する際、仕舞い部用壁体が、隣接する柱ー壁ブロックの二つの壁体のうちの一方の壁体の端部に回転可動なように予め取り付けられていることを特徴とする鉄骨構造物の外壁形成方法。
【発明の詳細な説明】
【技術分野】
【０００１】
本発明は、工場や倉庫など鉄骨構造物の外壁を波形鋼板などの平板を用いて形成する方法に関し、特に仕舞い部を短期間に処理することが可能な方法に関する。
【背景技術】
【０００２】
鉄骨構造物の外壁を波形鋼板や外壁パネルを取り付けて形成する場合、鉄骨構造物への波形鋼板や外壁パネルの取り付け作業および波形鋼板同士や外壁パネル同士の接続部（仕舞い部）の処理に手間がかかる高所作業が必要で、安全性や工期、労力が多大となることが問題となる。
【０００３】
そのため、取り付け作業や仕舞い部の処理に関して種々の提案がなされ、例えば、特許文献１は、高層の鉄骨躯体に外壁パネルを取り付ける方法に関し、鉄骨躯体の外周面に中間支持部材を介して主索を張設状態に横架し、横行移動装置により、外壁パネルを移動させ、所定の位置に外壁パネルを取り付ける方法が記載されている。本法によれば、大型クレーン等の使用が抑止され、設置時間が短くて済み、工事費の削減と工期の短縮が可能となる。
【０００４】
特許文献２には、外壁パネルの構造を工夫することにより、建物内部から、高層建物の外周に外壁パネルを展設し、パネル相互の水平垂直ジョイント部の雨仕舞いを行う方法が記載されている。
【０００５】
特許文献３は建屋の外壁用パネルの雨仕舞いに関し、外壁用パネルを取り付ける際、相互に隙間を設けて取り付ける目地タイプの接続において、予め目地金物をパネルに取り付けておき、パネルを建て込むだけで目地処理を完了させる方法が記載されている。
【特許文献１】特開平８−４３０１号公報
【特許文献２】特開平５−２９５８２０号公報
【特許文献３】特開平８−３５２６８号公報
【発明の開示】
【発明が解決しようとする課題】
【０００６】
しかしながら、外壁パネルの取り付け方法や目地処理に関するこれらの先行技術はいずれも、特殊な装置や、特殊な構造の外壁パネルを準備する必要がある。例えば、特許文献３記載の外壁用パネルは薄鋼板を折り曲げ加工した目地金物を目地の両側となるパネル端部に予め取り付け、対向する金物同士を接続させるための高精度な取り付け作業が必要となる。
【０００７】
従って、製鐵所におけるコークス炉など大型構造物を建設又は築造する際、一時的に雨風を凌ぐために必要となる仮建屋などの簡略な鉄骨構造物には適用しがたい。
【０００８】
また、鉄骨構造物の外壁を波形鋼板で形成する場合、図５に示すように主柱１０ａに取り付けた胴縁材２０に波形鋼板３０を取り付け、接続部４０で隙間が生じないように、接続部４０の左右となる胴縁材２０、波形鋼板３０を突合せる。その後、接続部４０を覆うように波形鋼板３１を重ね合わせて外壁構造１０とすることが一般的に行われている。
【０００９】
接続部４０に隙間が生じないように高い精度で主柱１０ａを配置し、胴縁材２０を取り付ける施工技術と波形鋼板３１を重ね合わせ、固定するための高所作業が必要とされ、高価な使用料の大型クレーンや熟練作業者による長時間作業が必要となる。
【００１０】
本発明は安価に且つ短期間に建設することが要求される仮建屋などの鉄骨構造物に適した外壁形成方法を提供する。
【課題を解決するための手段】
【００１１】
本発明は、以下の手段により課題を解決する。
１  板材部材の接続部の仕舞い処理方法であって、板材部材を所定の隙間が生じるように配置し、前記隙間を介して隣接する二つの板材部材のうちの一方の板材部材の端部に、前記隙間を塞ぐための、仕舞い部用板材を回転可動に設け、該仕舞い部用板材を回動させて他方の板材部材の端部に固定することにより、前記隙間を塞ぐことを特徴とする板材部材の接続部の仕舞い処理方法。
２  鉄骨構造物の外側に平板を展設して外壁を形成する方法であって、鉄骨構造物の各主柱に胴縁材を取り付けるとともに、該胴縁材に平板または成形された板材を取り付けて壁体を構成することにより、主柱と壁体とからなる柱ー壁ブロックを、隣接する柱ー壁ブロックの壁体端部間に所定の隙間が生じるようにして形成し、前記隙間を介して隣接する二つの壁体のうちの一方の壁体の端部に、前記隙間を塞ぐための、仕舞い部用壁体を回転可動に設け、該仕舞い部用壁体を回動させて他方の壁体の端部に固定することにより、前記隙間を塞いで外壁を形成することを特徴とする鉄骨構造物の外壁形成方法。
３  ２記載の鉄骨構造物の外壁形成方法において、隣接する柱ー壁ブロックの壁体端部間に所定の隙間が生じるようにして柱ー壁ブロックを形成する際、仕舞い部用壁体が、隣接する柱ー壁ブロックの二つの壁体のうちの一方の壁体の端部に回転可動なように予め取り付けられていることを特徴とする鉄骨構造物の外壁形成方法。
【発明の効果】
【００１２】
本発明によれば、短時間に平板または波形鋼板など成形された板材の接続部の処理（仕舞い）ができるため、外壁形成において高所作業の工期と労力が軽減し安全性が確保されると共に、大型クレーンの使用時間が短縮できるので早期に且つ安価に鉄骨構造物を建設することが可能である。  
【発明を実施するための最良の形態】
【００１３】
本発明は所定の隙間を設けて配置する、大波板、小波板、角波板などの波形鋼板のように成形された鉄板、平板など板材部材の接続部の仕舞いを、一方の板材部材の端部に、回転可動に設けた仕舞い部用板材部材で前記隙間を塞いで行うことを特徴とする。
【００１４】
図１は本発明に係る外壁構造の一例を示す模式的な外観図で、鉄骨構造物の外壁構造１は、隣接するブロック１Ａの間隔ｄを仕舞い板４で閉じて形成される。ブロック１Ａは主柱１ａに取り付けた所定の長さの胴縁材２に、所定の枚数の波形鋼板などの平板３を取り付けて柱と壁が一体化されている。本発明で胴縁材２は外壁の下地材を指す。
【００１５】
図２に図１に示した外壁構造を形成するまでの工程を外壁構造の上面図で説明する。本発明では隣り合うブロック１Ａを間隔ｄの空隙を設けて建て込んだ後（図２（ａ））、ブロック１Ａの一方の端部に仕舞い板４を回転可能に取り付ける（図２（ｂ））。
【００１６】
その後、仕舞い板４を回転させて、隣り合うブロック１Ａとの間隔ｄを閉じて仕舞い部５とし、連続した外壁構造１を形成する（図２（ｃ））。尚、図２において間隔ｄを主柱間の中央に設け、間隔ｄの空隙を閉じる前の仕舞い板４を鉄骨構造物の内部に配置しているが、本発明を限定するものではない。
【００１７】
図３は仕舞い部の細部の構造の一例を示す図で、（ａ）は仕舞い板４を胴縁材２に取り付けた状態の一例を示し、（ｂ）は仕舞い板４を回転させて左右の胴縁材２に連結した状態を示す。仕舞い板４は下地鉄骨２ａに波形鋼板などの平板３ａをフックボルトなどで取り付けたパネル状の構造で、下地鉄骨２ａは胴縁材２に対し回転可能な形状とする。
【００１８】
仕舞い板４は建設現場などで予め組み立てて置き、ブロック１Ａを建て込んだ後、クレーンなどで吊り上げて胴縁材２に取り付ける。本発明では仕舞い板４が胴縁材２に対し、回転自在に取り付けられれば良く、取り付け方法は特に規定しない。
【００１９】
例えば、胴縁材２と下地鉄骨２ａの端部に穴加工を施しボルトを挿通し、回転自在とする。波形鋼板などの平板３、３ａを胴縁材２、２ａに取り付ける場合は、仕舞い部において耐候性が確保できるように、波形鋼板などの平板３、３ａの端部ａ，ｂが重ね合うように取り付けることが望ましい。図４に角波板６、６ａにより外壁を形成した場合を示す。
【００２０】
本発明において、波形鋼板などの平板３、３ａの材質は特に規定しない。採光性を考慮して透明、半透明の合成樹脂製の平板を適宜使用することも可能である。耐候性を向上させるため平板３、３ａに外壁パネルを使用することも可能である。
また、仕舞い部用壁体の壁体への取り付けの有無や取り付ける数は、実工事での鉄骨構造物における柱ー壁ブロックの配置や配置する数などを考慮して適宜選択することができる。
【００２１】
側壁の中間部を形成する柱ー壁ブロックでは端部の一方のみでなく両方にも取り付けることも可能である。
【００２２】
更に仕舞い部用壁板は、柱ー壁ブロックを形成する際に、予めまたは同時に壁体に取り付けたり、柱ー壁ブロックを形成後において、大型クレーンで吊り下げて取り付けても良い。
【００２３】
仕舞い部用壁板の胴縁材と壁体の胴縁材の回転軸となる部分に孔加工を施し、棒状部材を挿通させて回転可能な構造とすると大型クレーンの使用時間を短縮でき、経済的である。
【００２４】
以上、本発明を鉄骨構造物の外壁構造を対象に、具体的に説明したが、本発明を限定するものではない。本発明は構造物で板状部材を用いる個所であれば適用可能であり、床、天井、屋根などの形成にも適用することが可能である。
【図面の簡単な説明】
【００２５】
【図１】本発明に係る外壁構造の一例を示す模式的外観図。
【図２】図１の外壁構造を形成する工程図。
【図３】図１の仕舞い部の細部の構成を示す図。
【図４】本発明に係る外壁構造の他の例を示す模式的外観図。
【図５】従来例
【符号の説明】
【００２６】
１        外壁構造
２        胴縁材
２ａ      下地鉄骨
３、３ａ  平板
４        仕舞い板
５        仕舞い部
６，６ａ  角形鋼管
１Ａ      ブロック
１０      外壁構造
１０ａ    主柱
２０      胴縁
３０、３１波形鋼板
【図１】
2006070525.tif 000003
【図２】
2006070525.tif 000004
【図３】
2006070525.tif 000005
【図４】
2006070525.tif 000006
【図５】
2006070525.tif 000007